(57)【要約】      （修正有）【課題】新たな部品を追加することなく、挿入される紙葉類との間で放電が発生することを防止可能な紙葉類識別機を提案すること。【解決手段】紙幣識別機では、その紙幣挿入口７に紙幣が挿入されたことを検出するために設置されている入口センサ９ａとして、紙幣によって移動させられる検出レバー９１を備えた構造のものを採用している。検出レバー９１は導電性材料から形成され、紙幣識別機の回路基板７６の接地ライン７６ａに接続されている。紙幣挿入口７から挿入された紙幣が検出レバー９１に当たると、紙幣から検出レバー９１を介して接地ライン７６ａに到る放電回路が形成され、この放電回路を介して紙幣の帯電が放出される。よって、放電防止用の部材を新たに追加することなく、紙幣の挿入時における放電が防止される。【選択図】図６
2008077456.tif 000002
【特許請求の範囲】
【請求項１】
紙葉類を挿入するための挿入口と、
この挿入口から挿入された紙葉類を搬送するための搬送機構と、
前記挿入口から挿入された紙葉類を前記搬送機構による搬送開始位置まで案内するための挿入路と、
前記挿入口から前記挿入路に紙葉類が挿入されたことを検出するための入口センサとを有し、
この入口センサは、前記挿入路に突出した突出位置に所定の付勢力によって保持され、当該挿入路から退避する方向に移動可能な検出レバーと、この検出レバーの移動を検出する検出部とを備えており、
前記検出レバーは導電性材料から形成され、紙葉類識別機の接地ラインに接続されていることを特徴とする紙葉類識別機。
【請求項２】
請求項１において、
前記検出レバーは、前記挿入路から退避する方向に弾性変位可能な導電性の板ばねによって形成されていることを特徴とする紙葉類識別機。
【請求項３】
請求項１または２に記載の紙葉類識別機における紙葉類の落下防止方法であって、
前記搬送機構によって前記挿入口に返却された紙葉類を、前記検出レバーの付勢力を利用して、当該検出レバーと、これに対峙している前記挿入路のガイド面との間に挟持することを特徴とする紙葉類識別機における紙葉類の落下防止方法。
【発明の詳細な説明】
【技術分野】
【０００１】
本発明は、紙幣などの紙葉類の真偽などを識別する紙葉類識別機に関し、特に、紙葉類が挿入されたことを検出するための入口センサに放電防止機能および紙葉類落下防止機能を付与した紙葉類識別機に関するものである。
【背景技術】
【０００２】
遊技店などにおける遊技台の間には、遊技台で用いるパチンコ玉などの遊技媒体を貸し出すための遊技台用台間機が配置されている。遊技台用台間機には、挿入された紙幣を識別して、対応する金額の遊技媒体の貸し出しを行うことが出来るように、紙幣識別機が搭載されている。
【０００３】
近年においては軽量化およびコストダウンなどを目的として、紙幣識別機のケースに合成樹脂製の成形品を用いることが多い。この場合には、紙幣の搬送路を規定しているガイド面もケースに一体形成されることになる。合成樹脂部材は静電気が帯電しやすく、また、紙幣が通過する際に摩擦帯電も発生しやすい。ガイド面に静電気が帯電すると、塵、埃などが静電吸引され、ガイド面から露出しているホトセンサの表面に付着して、その検出精度が低下するおそれがある。
【０００４】
特許文献１には、かかる弊害を防止するために、ホトセンサが配置されている紙幣搬送路のガイド面を帯電防止用の合成樹脂とする等の提案がされている。
【特許文献１】特開２００１−１４５０８号公報
【発明の開示】
【発明が解決しようとする課題】
【０００５】
ここで、紙幣が紙幣識別機に挿入される際には、紙幣自体、あるいは人体が帯電していることが原因となって、挿入された紙幣と、紙幣識別機の挿入口を規定している合成樹脂製のケース部分との間で放電が発生するおそれがある。放電が起きると、紙幣識別機に内蔵されている電子回路に悪影響を及ぼし、電子回路を破壊することもある。
【０００６】
この弊害を防止するためには、紙幣識別機の挿入口近傍に放電部材を取り付けるか、あるいは、電子回路に放電破壊を防止するための部品を実装するなどの対策が必要である。このような放電対策は、放電部材、放電破壊防止用の部品を新たに追加する必要があるので、コスト高を招き、また、その設置場所を確保するために寸法増加を招くことになる。
【０００７】
本発明の課題は、新たな部品を追加することなく、挿入される紙葉類との間で放電が発生することを防止可能な紙葉類識別機を提案することにある。
【課題を解決するための手段】
【０００８】
上記の課題を解決するために、本発明の紙葉類識別機は、
紙葉類を挿入するための挿入口と、
この挿入口から挿入された紙葉類を搬送するための搬送機構と、
前記挿入口から挿入された紙葉類を前記搬送機構による搬送開始位置まで案内するための挿入路と、
前記挿入口から前記挿入路に紙葉類が挿入されたことを検出するための入口センサとを有し、
この入口センサは、前記挿入路に突出した突出位置に所定の付勢力によって保持され、当該挿入路から退避する方向に移動可能な検出レバーと、この検出レバーの移動を検出する検出部とを備えており、
前記検出レバーは導電性材料から形成され、紙葉類識別機の接地ラインに接続されていることを特徴としている。
【０００９】
本発明の紙葉類識別機では、その挿入口に紙葉類が挿入されたことを検出するために設置されている入口センサとして、紙葉類によって移動させられる検出レバーを備えた構造のものを採用している。そして、この検出レバーを導電性材料から形成すると共に、紙葉類識別機の回路基板の接地ラインに接続してある。したがって、挿入口から挿入された紙葉類が検出レバーに当たると、紙葉類から検出レバーを介して接地電位に到る放電回路が形成され、この放電回路を介して紙葉類の帯電が放出される。よって、紙葉類の挿入時における放電が防止される。
【００１０】
ここで、前記検出レバーは、前記挿入路から退避する方向に弾性変形可能な導電性の板ばねによって形成することができる。
【００１１】
次に、本発明では、上記構成の紙葉類識別機における紙葉類の落下防止方法であって、
前記搬送機構によって前記挿入口に返却された紙葉類を、前記検出レバーの付勢力を利用して、当該検出レバーと、これに対峙している前記挿入路のガイド面との間に挟持することを特徴としている。
【００１２】
紙葉類識別機に挿入された紙葉類が受け入れ不可であると判断されると、当該紙葉類は搬送機構によって挿入口に返却される。紙葉類が返却される際には、搬送機構から開放された紙葉類は挿入口から一部が排出され、残りの部分が挿入路内に残った状態になる。この状態で、取り出されるのを待つことになる。挿入路が短い場合などにおいては、挿入口から紙葉類の大半が排出された状態となり、自重によって挿入口から簡単に落下してしまう。
【００１３】
挿入口に返却された紙葉類の落下を防止するためには、返却時における紙葉類の挿入口からのとび出し量を少なくするか、あるいは、挿入口近傍において排出された紙葉類が落下しないように保持するための保持部材を配置する必要がある。しかしながら、前者の方法では、紙葉類識別機の内部の搬送路におけるレイアウトに大きな制約ができるなどの問題が発生する。後者の方法では、部品を追加する必要があるので、コスト高、取り付け場所の確保などの問題が発生する。
【００１４】
本発明の方法では、挿入路に配置されている入口センサの検出レバーに着目し、この検出レバーの付勢力を利用して、搬送機構から開放された後の紙葉類が挿入口から落下しないように保持している。したがって、紙葉類を返却する際の搬送量を変更することなく、また、新たな部品を追加することなく、紙葉類が挿入口から落下することを防止できる。
【発明の効果】
【００１５】
本発明の紙葉類識別機では、挿入口に配置されている入口センサとして検出レバーを備えたものを採用し、検出レバーを導電性材料から形成して紙葉類識別機の接地ラインに接続した構成を採用している。紙葉類を挿入口から挿入すると、導電性の検出レバーに当り、紙葉類の帯電電荷が検出レバーを介して接地側に放出される。よって、放電対策用の部品を追加することなく、挿入される紙葉類と挿入口部分の間で放電が生ずることを防止できる。
【００１６】
また、本発明では、検出レバーを利用して挿入口から返却される紙葉類が落下しないように保持している。したがって、返却時の紙葉類の搬送量を変更することなく、また、落下防止のために新たな部品を追加することなく、返却される紙葉類の落下を確実に防止できる。
【発明を実施するための最良の形態】
【００１７】
以下に、図面を参照して、本発明を適用した紙幣識別機の実施の形態を説明する。
【００１８】
(全体構成)
図１は本発明を適用した紙幣識別機を示す斜視図であり、図２はその開閉ユニットを開けた状態を示す斜視図である。紙幣識別機１は、本体ユニット２と、この本体ユニット２の表面に形成された装置前後方向に延びている凹部３に収納されている開閉ユニット４とを有している。開閉ユニット４は、その後端部両側に形成した支軸５ａ、５ｂを中心として、凹部３に収納された閉じ位置４Ａと１８０度開いた全開位置４Ｂの間で開閉可能である。また、開閉ユニット４の前端部の両側に形成した係合レバー６ａ、６ｂが、本体ユニット２に形成された係合溝６ｃ、６ｄに差し込まれており、これにより開閉ユニット４が閉じ位置４Ａにロックされている。左右の係合レバー６ａ、６ｂの根元側の段差部を指などによって内方に撓めると、係合レバー６ａ、６ｂが係合溝６ｃ、６ｄから外れて開閉ユニット４を開けることが可能になる。
【００１９】
図３は紙幣識別機１の平面図であり、図４はそのＡ−Ａ線で切断した部分を示す概略縦断面図であり、図５はそのＢ−Ｂ線で切断した部分を示す概略横断面図である。これらの図も参照して説明すると、紙幣識別機１の本体ユニット２の前面には紙幣挿入口７が形成されており、この紙幣挿入口７は、本体ユニット２の前端部の内部に形成されている紙幣挿入路８を介して、本体ユニット２と開閉ユニット４の間に形成されている紙幣搬送路１０に通じている。紙幣搬送路１０の後端は紙幣排出口１０ａとなっており、ここから排出された紙幣は不図示の紙幣収納部に収納される。
【００２０】
紙幣挿入路８には、紙幣の挿入を検出するために左右一対の入口センサ９ａ、９ｂが配置されている。入口センサ９ａ、９ｂは、それぞれ、紙幣挿入路８に下側から突出している検出レバー９１と、検出レバー９１の移動を検出するためのホトカプラ９２とを備えている。紙幣Ｐが挿入されると、その先端によって検出レバー９１が押されて紙幣挿入路８に突出している突出位置から退避方向に移動する。この結果、ホトカプラ９２の出力が変化するので、紙幣Ｐが挿入されたことが検出される。検出レバー９１の移動を検出する検出部としては、ホトカプラ９２の代わりにメカニカルスイッチなどを用いることができる。
【００２１】
紙幣挿入路８に続く紙幣搬送路１０の上流側の部位には、当該紙幣搬送路１０を搬送される紙幣の光学的特徴である光透過パターンを検出するための３組の透過型ホトセンサ１１〜１３が幅方向に等間隔で配置されている。これらの透過型ホトセンサ１１〜１３の発光素子１１ａ〜１３ａは開閉ユニット４に搭載され、受光素子１１ｂ〜１３ｂは本体ユニット２に搭載されている。これらの設置位置よりも下流側の紙幣搬送路１０の部分には紙幣Ｐの磁気特性を検出するための磁気ヘッド１４が配置されている。磁気ヘッド１４は本体ユニット２に搭載されており、この磁気ヘッド１４の検出面に紙幣Ｐを押し付けるための押圧ローラ１５が開閉ユニット４に搭載されている。
【００２２】
紙幣Ｐを紙幣搬送路１０に沿って搬送するための搬送機構はベルト・プーリ式のものであり、左右一対の駆動側プーリ１６ａ、１６ｂ(図においてはプーリ１６ａのみを示してある。)と、左右一対の従動側プーリ１７ａ、１７ｂ(図においてはプーリ１７ａのみを示してある。)、これら駆動側プーリ１６ａおよび従動側プーリ１７ａの間、および駆動側プーリ１６ｂおよび従動側プーリ１７ｂの間にそれぞれ架け渡した左右一対の搬送ベルト１８ａ、１８ｂ(図４において太い一点鎖線で示してある。)とを備えている。これらの各部は、本体ユニット２の側に搭載されており、駆動側プーリ１６ａ、１６ｂは紙幣搬送路１０の下流端側に配置され、従動側プーリ１７ａ、１７ｂは発光素子１１ａ〜１３ａの下流側に配置されている。本例では、従動側プーリ１７ａ、１７ｂの下流側に、左右一対のガイドプーリ１９ａ、１９ｂ(図においてはプーリ１９ａのみを示してある。)が配置されている。
【００２３】
また、搬送機構は、開閉ユニット４の側に搭載されている３組の左右一対の押圧ローラ２０ａ、２０ｂ、２１ａ、２１ｂおよび２２ａ、２２ｂを備えている。これらは、上下方向にスライド可能、かつ、回転自在の状態で開閉ユニット４に搭載されており、それぞれ、搬送ベルト１８ａ、１８ｂの上から、駆動側プーリ１６ａ、１６ｂ、従動側プーリ１７ａ、１７ｂ、およびガイドプーリ１９ａ、１９ｂにばね力によって押圧されている。
【００２４】
さらに、搬送機構は、本体ユニット２における凹部３の側方の部位に内蔵されている駆動モータ２３を備えている。この駆動モータ２３の回転力が、ウォーム歯車およびハスバ歯車を備えた減速歯車列２４を介して、駆動側プーリ１６ａ、１６ｂに伝達されるようになっている。
【００２５】
入口センサ９ａ、９ｂによって紙幣Ｐが紙幣挿入口７から挿入されたことを検出すると搬送機構が駆動され、当該搬送機構によって、挿入された紙幣Ｐが紙幣挿入路８から紙幣搬送路１０に送り込まれる。紙幣搬送路１０に沿って搬送される紙幣Ｐは、その光透過パターンが３組の透過型ホトセンサ１１〜１３によって読み取られ、その磁気パターンが磁気ヘッド１４によって読み取られる。読み取られた紙幣情報に基づき紙幣Ｐの種類および真偽の識別が行われる。受け入れ可能な紙幣Ｐであると識別された場合には、紙幣搬送路１０の下流端の紙幣排出口１０ａから不図示の紙幣収納部に紙幣が送り込まれる。受け入れ不可の紙幣、あるいは偽札であると識別された場合には、そのような紙幣は逆送りして、紙幣挿入口７から排出される。
【００２６】
紙幣Ｐが紙幣搬送路１０に詰まった場合、紙幣搬送機構の保守点検作業を行う場合などにおいては開閉ユニット４を開けて、紙幣搬送路１０を開放状態にする。すなわち、本体ユニット２の側の左右一対の搬送ベルト１８ａ、１８ｂの上から駆動側プーリ１６ａ、１６ｂおよびガイドプーリ１９ａ、１９ｂに押圧されている押圧ローラ２０ａ、２０ｂ、２２ａ、２２ｂが搬送ベルト１８ａ、１８ｂから離れ、これらの間に規定される紙幣搬送路１０が開放状態になる。
【００２７】
(入口センサ)
図６(ａ)は本例の入口センサ９ａを示す説明図であり、図６(ｂ)はその検出レバー９１を示す説明図である。他方の入口センサ９ｂも同一構造であるので説明は省略する。
【００２８】
入口センサ９ａは、先に述べたように、検出レバー９１とホトカプラ９２を備えている。検出レバー９１は、導電性材料からなる板ばねを折り曲げ加工した弾性変位可能なものであり、逆Ｕ状に折れ曲がっているレバー本体板部分９１ａと、この下端から横方に延びている連結板部分９１ｂと、この連結板部分９１ｂから後方に延びている幅の狭い撓み板部分９１ｃと、この撓み板部分９１ｃの後端に形成した広幅の接地端子板部分９１ｄとを備えている。接地端子板部分９１ｄは回路基板７６を貫通した状態に当該回路基板７６に固定さており、回路基板７６の裏面側に形成されている接地ライン７６ａに電気的に接続されている。
【００２９】
幅の狭い撓み板部分９１ｃは最も面外剛性が低く、レバー本体板部分９１ａを前後に押すと、主として、この撓み板部分９１ｃがその後端部分を中心として上下に撓む。この撓みによって、レバー本体板部分９１ａは前後に弾性変位する。すなわち、図６(ａ)において実線で示すように、レバー本体板部分９１ａは通常は起立位置９１Ａにあり、その上端部が紙幣挿入路８のガイド面８ａに押し付けられた状態にある。紙幣挿入口７から挿入される紙幣Ｐによってレバー本体板部分９１ａが後方に押されると、平坦な撓み板部分９１ｃが下に凸となるように撓み、レバー本体板部分９１ａが後方変位位置９１Ｂまで変位し、当該レバー本体板部分９１ａとガイド面８ａの間に紙幣Ｐを通すことができる。
【００３０】
逆に、紙幣搬送路１０の側から排出される紙幣Ｐによってレバー本体板部分９１ａが前方に押されると、平坦な撓み板部分９１ｃが上に凸となるように撓み、レバー本体板部分９１ａが前方変位位置９１Ｃまで変位し、当該レバー本体板部分９１ａとガイド面８ａの間に紙幣Ｐを通すことができる。
【００３１】
ここで、レバー本体板部分９１ａには検出板部分９１ｅが形成されており、この検出板部分９１ｅを挟み、ホトカプラ９２の発光素子９２ａと受光素子９２ｂが対峙している。起立位置９１Ａにあるレバー本体板部分９１ａが、紙幣挿入路８から後退する前後方向に変位すると、検出板部分９１ｅがホトカプラ９２の検出位置から外れ、発光素子９２ａの射出光が受光素子９２ｂで受光される。よって、ホトカプラ９２の出力に基づき、検出レバー９１が紙幣Ｐによって押されて移動したこと、すなわち、紙幣Ｐが挿入されたことが検出される。紙幣返却時には、返却紙幣が紙幣挿入路８に位置していることが検出される。
【００３２】
この構成の入口センサ９ａ、９ｂを備えた紙幣識別機１では、その紙幣挿入口７に挿入された紙幣Ｐは、その先端で導電性の検出レバー９１を後方変位位置９１Ｂに押し込みながら搬送機構による搬送開始位置(搬送ベルト１８ａ、１８ｂと押圧ローラ２１ａ、２１ｂの間)まで移動する。紙幣Ｐが静電帯電していたとしても、接地されている導電性の検出レバー９１に接触した状態で挿入されるので、静電帯電が接地側に放出される。よって、紙幣Ｐと、紙幣挿入口７の部分との間で放電することが防止される。
【００３３】
また、本例では、検出レバー９１は板ばねから形成されており、所定のばね力で紙幣挿入路８における上側のガイド面８ａに押し付けられている。したがって、挿入された紙幣Ｐが受け入れ不可の場合の返却時などにおいては、図６(ａ)に示すように、紙幣挿入口７に返却された紙幣Ｐが、前方変位位置９１Ｃまで弾性変位した検出レバー９１のレバー本体板部分９１ａの先端部によって、ガイド面８ａに押し付けられた状態になる。よって、紙幣Ｐが紙幣挿入口７から落下することを防止できる。
【００３４】
すなわち、搬送機構によって紙幣Ｐが紙幣挿入口７に向けて返却されると、紙幣Ｐにおける返却方向の先端側の部分は、検出レバー９１を前方に押し込みながら紙幣挿入口７に移動し、そこから外方に排出される。紙幣Ｐにおける返却方向の後端が搬送機構から開放されると、すなわち、搬送ベルト１８ａ、１８ｂと押圧ローラ２１ａ、２１ｂの間から開放されると、紙幣Ｐの大半部分が紙幣挿入口７から外方に突出した状態で止まる。この状態では、自重によって紙幣Ｐが紙幣挿入口７から落下する可能性がある。しかしながら、本例では、紙幣挿入路８の両端に配置されている検出レバー９１を利用して紙幣Ｐをガイド面８ａに押し付けて落下しないように保持している。換言すると、検出レバー９１による押し付け力が適切に設定されており、検出レバー９１が紙幣落下防止部材としても機能するようになっている。
【００３５】
したがって、返却される紙幣Ｐの搬送量を少なくして、紙幣挿入口７からの突出量を減らすことなく、また、紙幣挿入口７から返却される紙幣が落下しないように保持するための落下防止部材を新たに設けることなく、紙幣Ｐの落下を防止できる。
【００３６】
(その他の実施の形態)
なお、上記の例は本発明を紙幣識別機に適用したものであるが、本発明は、チケット、クーポン券などの紙幣以外の紙葉類を識別するための紙葉類識別機としても用いることができることは勿論である。
【図面の簡単な説明】
【００３７】
【図１】本発明を適用した紙幣識別機の斜視図である。
【図２】開閉ユニットを開けた状態の紙幣識別機の斜視図である。
【図３】紙幣識別機の平面図である。
【図４】図３のＡ−Ａ線で切断した部分を示す紙幣識別機の概略縦断面図である。
【図５】図３のＢ−Ｂ線で切断した部分を示す紙幣識別機の概略横断面図である。
【図６】(ａ)は本例の入口センサを示す説明図であり、(ｂ)はその検出レバーを示す説明図である。
【符号の説明】
【００３８】
１    紙幣識別機
２    本体ユニット
３    凹部
４    開閉ユニット
４Ａ  閉じ位置
４Ｂ  全開位置
５ａ、５ｂ  支軸
６ａ、６ｂ  係合レバー
６ｃ、６ｄ  係合溝
７    紙幣挿入口
８    紙幣挿入路
８ａ  ガイド面
９ａ、９ｂ  入口センサ
１０  紙幣搬送路
１０ａ  紙幣排出口
１１〜１３  透過型ホトセンサ
１１ａ〜１３ａ  発光素子
１１ｂ〜１３ｂ  受光素子
１４  磁気ヘッド
１５  押圧ローラ
１６ａ、１６ｂ  駆動側プーリ
１７ａ、１７ｂ  従動側プーリ
１８ａ、１８ｂ  搬送ベルト
１９ａ、１９ｂ  ガイドプーリ
２０ａ、２０ｂ、２１ａ、２１ｂ、２２ａ、２２ｂ  押圧ローラ
２３  駆動モータ
２４  減速歯車列
７６  回路基板
７６ａ  接地ライン
９１  検出レバー
９１Ａ  起立位置
９１Ｂ  後方変位位置
９１Ｃ  前方変位位置
９１ａ  レバー本体板部分
９１ｂ  連結板部分
９１ｃ  撓み板部分
９１ｄ  接地端子板部分
９１ｅ  検出板部分
９２  ホトカプラ
９２ａ  発光素子
９２ｂ  受光素子
Ｐ    紙幣
【図１】
2008077456.tif 000003
【図２】
2008077456.tif 000004
【図３】
2008077456.tif 000005
【図４】
2008077456.tif 000006
【図５】
2008077456.tif 000007
【図６】
2008077456.tif 000008